【手続補正書】
【提出日】平成17年11月30日(2005.11.30)
【手続補正１】
【補正対象書類名】特許請求の範囲
【補正対象項目名】全文
【補正方法】変更
【補正の内容】
【特許請求の範囲】
【請求項１】
被験体における神経変性を処置または予防するための医薬を製造するための、ＴＷＥＡＫアンタゴニストの使用。
【請求項２】
前記ＴＷＥＡＫ関連状態は、非炎症性状態であることを特徴とする請求項１記載の使用。
【請求項３】
前記ＴＷＥＡＫアンタゴニストは、ＴＷＥＡＫとその細胞レセプターとの相互作用に介入する能力を有する、請求項１に記載の使用。
【請求項４】
前記ＴＷＥＡＫアンタゴニストは、（ａ）抗ＴＷＥＡＫ抗体；（ｂ）抗ＴＷＥＡＫレセプター抗体；または（ｃ）ＴＷＥＡＫレセプターポリペプチドフラグメントを含む、請求項１に記載の使用。
【請求項５】
前記ＴＷＥＡＫアンタゴニストは、Ｆｎｌ４−Ｆｃを包含する、請求項４に記載の使用。
【請求項６】
前記ＴＷＥＡＫアンタゴニストは、抗ＴＷＥＡＫ抗体を包含する、請求項４に記載の使用。
【請求項７】
前記ＴＷＥＡＫアンタゴニストは、抗ＴＷＥＡＫレセプター抗体を包含する、請求項４に記載の使用。
【請求項８】
前記抗体は、ヒト抗体またはヒト化抗体である、請求項６または請求項７に記載の使用。
【請求項９】
前記抗体がモノクローナル抗体または合成抗体である、請求項６または請求項７に記載の使用。
【請求項１０】
前記抗体が全長のものである、請求項６または請求項７に記載の使用。
【請求項１１】
前記抗体が、抗体フラグメント、または抗体の抗原認識配列を含む融合タンパク質である、請求項６または請求項７に記載の使用。
【請求項１２】
前記医薬が、非経口経路を介して前記被験体に投与されるものである、請求項１に記載の使用。
【請求項１３】
前記被験体がヒトである、請求項１に記載の使用。
【請求項１４】
インビトロにおける前駆体細胞の細胞増殖または分化を調節するための方法であって、該方法は：
（ｉ）ＴＷＥＡＫポリペプチドフラグメント；（ｉｉ）ＴＷＥＡＫレセプターポリペプチドフラグメントを含むタンパク質；または（ｉｉｉ）ＴＷＥＡＫまたはＴＷＥＡＫレセプターに対する抗体を含む因子に前駆体細胞をインビトロで処理する工程を包含する、方法。
【請求項１５】
前記因子が、前駆体細胞分化を促進するＴＷＥＡＬアンタゴニストである、請求項１４に記載の方法。
【請求項１６】
前記ＴＷＥＡＫアンタゴニストは、（ａ）抗ＴＷＥＡＫ抗体；（ｂ）抗ＴＷＥＡＫレセプター抗体；または（ｃ）ＴＷＥＡＫレセプターポリペプチドフラグメントを含む、請求項１４に記載の方法。
【請求項１７】
前記ＴＷＥＡＫアンタゴニストが可溶性ＴＷＥＡＫレセプターポリペプチドフラグメントである、請求項１６に記載の方法。
【請求項１８】
前記ＴＷＥＡＫアンタゴニストがＦｎｌ４−Ｆｃである、請求項１６に記載の方法。
【請求項１９】
前記因子が、ＴＷＥＡＫアゴニストであって、該ＴＷＥＡＫアゴニストが前駆体細胞分化を阻害するか、および／または細胞増殖を促進する、請求項１４に記載の方法。
【請求項２０】
前記ＴＷＥＡＫアゴニストがＴＷＥＡＫポリペプチドフラグメントを包含する、請求項１９に記載の方法。
【請求項２１】
前記ＴＷＥＡＫアゴニストが全長ＴＷＥＡＫポリペプチドを包含する、請求項１９に記載の方法。
【請求項２２】
前記ＴＷＥＡＫアゴニストが可溶性ＴＷＥＡＫレセプターポリペプチドフラグメントである、請求項１９に記載の方法。
【請求項２３】
前記ＴＷＥＡＫアゴニストが抗ＴＷＥＡＫレセプター抗体を包含する、請求項１９に記載の方法。
【請求項２４】
前記前駆体細胞が、（ａ）幹細胞；（ｂ）全能性細胞；（ｃ）多能性細胞；（ｄ）複能性細胞；（ｅ）双能性細胞；（ｆ）組織特異的細胞；（ｇ）胚性細胞；および（ｈ）成体細胞からなる群より選択される、請求項１４〜２３のいずれか１項に記載の方法。
【請求項２５】
前記前駆体細胞が、未分化の脂肪細胞、筋原細胞、軟骨細胞、骨細胞または結合組織細胞である、請求項１４〜２３のいずれか１項に記載の方法。
【請求項２６】
前記方法が、前駆体細胞または組織移植療法のための医薬の製造の一部として使用される、請求項１４〜２３のいずれか１項に記載の方法。
【請求項２７】
前記前駆体細胞は、管状前駆体細胞、骨格筋前駆体細胞、前脂肪細胞または間葉系幹細胞である、請求項１４〜２３のいずれか１項に記載の方法。
【請求項２８】
前記前駆体細胞が神経幹細胞である、請求項１４〜２３のいずれか１項に記載の方法。
【請求項２９】
前記前駆体細胞が、肝臓細胞型の前駆体、腎管の前駆体、心筋細胞の前駆体、肺細胞型の前駆体、皮膚細胞型の前駆体、骨格筋細胞型の前駆体、脂肪細胞の前駆体、胃腸細胞型の前駆体またはすい臓細胞型の前駆体である、請求項１４〜２３のいずれか１項に記載の方法。
【請求項３０】
前記前駆体細胞が、肺細胞型の前駆体である、請求項２９に記載の方法。
【請求項３１】
前記前駆体細胞が、卵細胞である、請求項３０に記載の方法。
【請求項３２】
被験体において組織置換または再生を処置するための医薬の製造における、ＴＷＥＡＫアゴニストの使用。
【請求項３３】
前記ＴＷＥＡＫアゴニストが、全長ＴＷＥＡＫポリペプチドを包含する、請求項３２に記載の使用。
【請求項３４】
前記ＴＷＥＡＫアゴニストが、可溶性ＴＷＥＡＫポリペプチドフラグメントを包含する、請求項３２に記載の使用。
【請求項３５】
前記ＴＷＥＡＫアゴニストが、抗ＴＷＥＡＫポリペプチドレセプター抗体を包含する、請求項３２に記載の使用。
【請求項３６】
前記ＴＷＥＡＫアゴニストが肝臓細胞型、心筋細胞型、肺細胞型、皮膚細胞型、すい臓細胞型神経細胞型の集団における増幅を生じる、請求項３２に記載の使用。
【請求項３７】
前記医薬が、前駆体細胞を用いた組織の処置または組織移植療法において使用されるものである、請求項３２に記載の使用。
【請求項３８】
被験体において、組織置換または再生の処置のための医薬の製造における、ＴＷＥＡＫアゴニストの使用。
【請求項３９】
前記ＴＷＥＡＫアンタゴニストが、ＴＷＥＡＫとその細胞レセプターとの間の相互作用に介入する能力を有する、請求項３８に記載の使用。
【請求項４０】
前記ＴＷＥＡＫアンタゴニストは、（ａ）抗ＴＷＥＡＫ抗体；（ｂ）抗ＴＷＥＡＫレセプター抗体；または（ｃ）ＴＷＥＡＫレセプターポリペプチドフラグメントを含む、請求項３８に記載の使用。
【請求項４１】
前記ＴＷＥＡＫアンタゴニストが、前記被験体において移植された前駆体細胞の分化を生じさせる、請求項３８に記載の使用。
【請求項４２】
被験体における心筋症の処置のための医薬の製造における、ＴＷＥＡＫアンタゴニストの使用。
【請求項４３】
前記心筋症が、拡張心筋症または鬱血性心不全である、請求項４２に記載の使用。
【請求項４４】
被験体における肝臓状態の処置のための医薬の製造におけるＴＷＥＡＫアンタゴニストの使用。
【請求項４５】
前記肝臓状態が、肝臓上皮細胞過形成、肝臓細胞空包型性、肝臓傷害、肝臓細胞死、胆汁管過形成または肝臓線維症である、請求項４４に記載の使用。
【請求項４６】
被験体における腎臓状態を処置するための医薬の製造におけるＴＷＥＡＫアンタゴニストの使用。
【請求項４７】
前記腎臓状態が炎症腎臓状態である、請求項４６に記載の使用。
【請求項４８】
前記炎症腎臓状態が多病巣性炎症である、請求項４７に記載の使用。
【請求項４９】
前記腎臓状態が非炎症性腎臓状態である、請求項４６に記載の使用。
【請求項５０】
前記非炎症性腎臓状態は、尿細管腎症等、尿細管過形成、糸球体嚢胞、糸球体腎炎、アルポート症候群、腎臓尿細管空胞化、腎臓ヒアリン円柱、腎線維症、または炎症性肺疾患である、請求項４９に記載の使用。
【請求項５１】
被験体における炎症性は以上体の処置のための医薬の製造におけるＴＷＥＡＫアンタゴニストの使用。
【請求項５２】
前記炎症性肺症状が肉芽腫性炎症またはリンパ組織球性炎症である、請求項５１に記載の使用。
【請求項５３】
前記ＴＷＥＡＫアンタゴニストは、（ａ）抗ＴＷＥＡＫ抗体；（ｂ）抗ＴＷＥＡＫレセプター抗体；または（ｃ）ＴＷＥＡＫレセプターポリペプチドフラグメントを含む、請求項４２〜５２に記載の使用。